(57)【要約】【課題】Ｅ−ＢＯＭの構成展開表示の中に子としての基板が存在するとき、構成展開表示を扱いやすくするために、基板の構成部品の表示をしないことができ、また、その場合表示していないことが認識できるように改善したＰＤＭシステムを提供する。【解決手段】構成表６の品目の内、品目属性情報の「工程０１」が「基板」である品目は、１００−００００４と１００−０００１１である。「基板以降も展開」にチェックが記入されていない設定の場合、構成表６で品目１００−００００４と１００−０００１１が子であり基板であるので、番号の先頭に＊印が付けられ、これら二つの品目以降が展開表示されないように設定される。【選択図】          図４
2008165296.tif 000002
【特許請求の範囲】
【請求項１】
Ｅ−ＢＯＭを保管して管理する手段と、Ｅ−ＢＯＭを基礎に作成・編集されたＭ−ＢＯＭを保管して管理する手段を備えるＰＤＭシステムにおいて、前記Ｅ−ＢＯＭ側の品目属性情報の工程が基板であり、その品目が構成展開表示時に子であるときは、その品目以下を展開表示しない制御手段を備えたことを特徴とするＰＤＭシステム。
【請求項２】
請求項１記載のＰＤＭシステムにおいて、前記制御手段は、前記展開表示しない場合、その品目の工程が基板であり、その品目以下が展開されていないことを構成展開表示上で認識できるようにすることを特徴とする請求項１記載のＰＤＭシステム。
【請求項３】
請求項１又は請求項２記載のＰＤＭシステムにおいて、前記Ｅ−ＢＯＭ側の品目属性情報の工程が基板であり、その品目が構成展開表示時に子であるときは、その品目以下を展開表示しないか、するかの設定を前記制御手段にて行う設定手段を有することを特徴とするＰＤＭシステム。
【発明の詳細な説明】
【技術分野】
【０００１】
この発明は、ＰＤＭ（Ｐｒｏｄｕｃｔ  Ｄａｔａ  Ｍａｎａｇｅｍｅｎｔ）システムの改良に関する。
【背景技術】
【０００２】
ＰＤＭシステムは、製造業における製品の企画、開発、設計から製造、販売、保守にいたる複雑かつ膨大な情報を一元管理し、工程の効率化および期間の短縮を図ることを目指した情報システムである。
【０００３】
このＰＤＭシステムにおいて、設計部品表と製造部品表とは管理すべき情報の主要なものである。設計部品表は、部品の技術情報や仕様、代替可能部品などの情報から構成されており、Ｅ−ＢＯＭ（Ｅｎｇｉｎｅｅｒｉｎｇ  Ｂｉｌｌ  Ｏｆ  Ｍａｔｅｒｉａｌ）と称される。また、製造部品表は、工場の生産工程において、製品製造時に参照される部品表でありＥ−ＢＯＭから作成され、Ｍ−ＢＯＭ（Ｍａｎｕｆａｃｔｕｒｉｎｇ  Ｂｉｌｌ  Ｏｆ  Ｍａｔｅｒｉａｌ）と称される。
【０００４】
ＰＤＭシステムのＥ−ＢＯＭは、最終製品を構成する全部品をリストアップしたものである。製品を構成する全部品をリストアップしているので、ユニット単位に構成の階層ができ、構成展開表示する際も１から全てのレベルまで必要に応じて表示することができる。
【０００５】
従来のＥ−ＢＯＭの例を図６に示す。図６は、製品としての親品目１００−０００００を起点とする従来の構成展開表示の例を示した図である。
【特許文献１】特開２００５−２９３２０１号公報
【発明の開示】
【発明が解決しようとする課題】
【０００６】
図６において、構成表８は構成展開表示の一例であって、品目１００−００００４が基板であり、基板の部品表示の途中で画面が終わっている。このように、構成展開表示を表示した場合、その中に基板が構成品として存在すると、基板の搭載部品（トランジスタ、ダイオード、コンデンサ、抵抗等の素子類）も機械部品と同様に構成展開されるため、基板は構成部品が非常に多いことから、製品の構成展開で基板の構成部品まで表示されると機械部品と同等の扱いになって全体の把握が困難となる。
【０００７】
そこで、Ｅ−ＢＯＭの構成展開表示の中に子としての基板が存在するとき、構成展開表示を扱いやすくするために、基板の構成部品の表示をしないことができ、また、その場合表示していないことが認識できるように改善したＰＤＭシステムを提供する。
【課題を解決するための手段】
【０００８】
Ｅ−ＢＯＭを保管して管理する手段と、Ｅ−ＢＯＭを基礎に作成・編集されたＭ−ＢＯＭを保管して管理する手段を備えるＰＤＭシステムにおいて、前記Ｅ−ＢＯＭ側の品目属性情報の工程が基板であり、その品目が構成展開表示時に子であるときは、その品目以下を展開表示しない制御手段を備える。
【０００９】
前記制御手段は、前記展開表示しない場合、その品目の工程が基板であり、その品目以下が展開されていないことを構成展開表示上で認識できるようにする。
【００１０】
Ｅ−ＢＯＭを保管して管理する手段と、Ｅ−ＢＯＭを基礎に作成・編集されたＭ−ＢＯＭを保管して管理する手段を備えるＰＤＭシステムにおいて、前記Ｅ−ＢＯＭ側の品目属性情報の工程が基板であり、その品目が構成展開表示時に子であるときは、その品目以下を展開表示しないか、するかの設定を前記制御手段にて行う設定手段を有する。
【発明の効果】
【００１１】
Ｅ−ＢＯＭの構成展開表示の中に子としての基板が存在するとき、非常に多い基板の構成部品の表示をしないようにすることができ、構成展開表示が扱いやすくなる。また、その場合表示していないことが構成展開表示上で認識できる。
【００１２】
一方、子としての基板の搭載部品の構成展開が必要なときは、設定を変更して基板の構成部品の表示をすることができる。
【発明を実施するための最良の形態】
【００１３】
Ｅ−ＢＯＭの構成展開表示の中に子としての基板が存在するとき、基板の構成部品の表示をしないようにした場合は、構成展開表示の基板の番号にマークを付けて構成部品を表示していないことを認識させる。
【実施例】
【００１４】
以下、本発明の実施例について図１〜５を参照して説明する。図１は、本発明の実施例にかかるＰＤＭシステムの模式図である。図１に示すように、本発明のＰＤＭシステムは、複数台のコンピュータ１、２、３、・・・をネットワークで接続して構成しており、そのうちのコンピュータ１をサーバーとし、そのサーバーのなかにデータベース４を構築している。このデータベース４は具体的には情報を記録するハードディスク装置などの記録装置と情報の保管・管理を行うソフトウェアとから構成される。
【００１５】
図２は、本発明の実施例にかかるＰＤＭシステムの構成を示すブロック図である。図２において、システム４０は、本発明のＰＤＭシステムであり、設定手段と、制御手段と、Ｅ−ＢＯＭ管理手段と、Ｍ−ＢＯＭ管理手段で構成されている。Ｅ−ＢＯＭ管理手段は、Ｅ−ＢＯＭを保管して管理する手段であり、一つの製品について設計者が設計部品表（Ｅ−ＢＯＭ）を作成すると、このＥ−ＢＯＭをデータベース４の保管エリアに登録する。このＥ−ＢＯＭは、その製品の構成の基本となるものであり、そのため変更・修正を厳格に制限する。Ｍ−ＢＯＭ管理手段は、Ｍ−ＢＯＭを保管して管理する手段であり、前記Ｅ−ＢＯＭに示される各部品に、その工程などの製造情報を関連付けた製造部品表（Ｍ−ＢＯＭ）を保管・管理する。このＭ−ＢＯＭで示される製造情報は随時変更が生じるため、このＭ−ＢＯＭは、厳重な管理下に置かれる保管エリアでないエリアにおいてデータベース４に登録する。
【００１６】
設定手段は、Ｅ−ＢＯＭ側の品目属性情報の工程が基板であり、その品目が構成展開表示時に子であるときは、その品目以下を展開表示しないか、するか設定する入力画面を有し、その設定された情報を保存する。Ｅ−ＢＯＭ管理手段は、制御手段により制御され、前記その設定された情報に従い構成展開表示を行うとともに、前記その品目以下を展開表示しない場合は、その品目の番号に＊印を付ける。
【００１７】
図３は、Ｅ−ＢＯＭ側の品目属性情報の例を示す図である。図４は、本発明の実施例にかかる構成展開表示の例を示す図である。図５は、本発明の実施例にかかる展開表示の設定画面を示す図である。品目属性情報は構成展開表示の各品目に付着されており、Ｅ−ＢＯＭ側に属する情報である。図３〜５において、品目属性表５は構成表６の品目１００−００００４の品目属性情報である。構成表６は、製品としての親品目１００−０００００を起点に本発明の制御手段が制御するＥ−ＢＯＭ管理手段により構成展開をした構成展開表示である。設定画面７は設定手段の入力画面であり、基板が構成展開表示で子であるとき、基板以降を展開表示しないか、するかの選択をする画面である。
【００１８】
構成表６の品目の内、品目属性情報の「工程０１」が「基板」である品目は、品目属性表５が示すように１００−００００４と、品目属性情報が図示されていない１００−０００１１である。設定画面７の「基板以降も展開」にチェックが記入されていないため、構成表６で品目１００−００００４と１００−０００１１が子であり基板であるので、番号の先頭に＊印が付けられ、これら二つの品目以降が展開表示されない。
【００１９】
一方、設定画面７の「基板以降も展開」にチェックが記入されている場合は、構成表６で品目１００−００００４と１００−０００１１が子であり基板であっても、番号の先頭に＊印はなく、これら二つの品目以降が展開表示される。
【００２０】
本発明は以上の構成であるから、Ｅ−ＢＯＭの構成展開表示の中に子としての基板が存在するとき、非常に多い基板の構成部品の表示をしないようにすることができ、構成展開表示が扱いやすくなる。また、その場合表示していないことが構成展開表示上で認識できる。一方、子としての基板の搭載部品の構成展開が必要なときは、設定を変更して基板の構成部品の表示をすることができる。例えば製品に使われている部品の総数を算出する場合には、設定画面７の「基板以降も展開」にチェックを記入して構成展開することで容易に部品の総数を算出できる。
【００２１】
図１に示す実施例では、ＰＤＭシステムは複数台のコンピュータ１、２、３、・・・をネットワークで接続して構成しているが、１個の単独のコンピュータによる構成でも本発明は適用可能でありＰＤＭシステムは図示例に限定されない。また、図４の実施例では、構成部品が展開表示されていない基板の番号の先頭に＊印が付けられているが代わりに番号に色付けしてもよい。このようにＰＤＭシステムは種々の構成とすることができ、本発明はこれら変形例を包含する。
【産業上の利用可能性】
【００２２】
この発明は、ＰＤＭシステムの改良に関する。
【図面の簡単な説明】
【００２３】
【図１】本発明の実施例にかかるＰＤＭシステムの模式図である。
【図２】本発明の実施例にかかるＰＤＭシステムの構成を示すブロック図である。
【図３】Ｅ−ＢＯＭ側の品目属性情報の例を示す図である。
【図４】本発明の実施例にかかる構成展開表示の例を示す図である。
【図５】本発明の実施例にかかる展開表示の設定画面を示す図である。
【図６】製品としての親品目１００−０００００を起点とする従来の構成展開表示の例を示した図である。
【符号の説明】
【００２４】
１  コンピュータ
２  コンピュータ
３  コンピュータ
４  データベース
５  品目属性表
６  構成表
７  設定画面
８  構成表
４０  システム
【図１】
2008165296.tif 000003
【図２】
2008165296.tif 000004
【図３】
2008165296.tif 000005
【図４】
2008165296.tif 000006
【図５】
2008165296.tif 000007
【図６】
2008165296.tif 000008